(57)【要約】  情報処理装置１０は、互いに離間して配置される複数の項目画像ＧＩ−１〜ＧＩ−６及びカーソルＣＵＲを表示装置２０に表示する情報処理装置であって、カーソルＣＵＲをユーザＵが移動させるカーソル操作の内容に応じた操作情報を受け付ける受付部１１１と、当該操作情報に基づいて表示装置２０にカーソルＣＵＲを表示させる制御部１１２と、複数の項目画像ＧＩ−１〜ＧＩ−６のうちの一の項目画像の内側から外側に向かってカーソルＣＵＲを移動させることを当該操作情報が指示する場合、カーソルＣＵＲの移動方向に沿って当該一の項目画像から所定距離内に他の項目画像があるかを判定する判定部１１３と、を備え、制御部１１２は、判定部１１３の判定結果が肯定である場合、当該一の項目画像の内側に、当該カーソル操作の操作量あたりのカーソルＣＵＲの移動量が減少する減速領域を設け、判定部１１３の判定結果が否定である場合、当該一の項目画像の内側に、減速領域を設けない。
2020171108.tif 000002
【特許請求の範囲】
【請求項１】
互いに離間して配置される複数の項目画像及びカーソルを表示装置に表示する情報処理装置であって、
前記カーソルをユーザが移動させるカーソル操作の内容に応じた操作情報を受け付ける受付部と、
前記操作情報に基づいて前記表示装置に前記カーソルを表示させる制御部と、
前記複数の項目画像のうちの一の項目画像の内側から外側に向かって前記カーソルを移動させることを前記操作情報が指示する場合、前記カーソルの移動方向に沿って前記一の項目画像から所定距離内に他の項目画像があるかを判定する判定部と、を備え、
前記制御部は、
前記判定部の判定結果が肯定である場合、前記一の項目画像の内側に、前記カーソル操作の操作量あたりの前記カーソルの移動量が減少する減速領域を設け、前記判定部の判定結果が否定である場合、前記一の項目画像の内側に、前記減速領域を設けない、
情報処理装置。
【請求項２】
前記制御部は、前記一の項目画像と前記他の項目画像との間に、前記受付部に対する単位操作量あたりの前記カーソルの移動量が増大する増速領域を設ける、
請求項１に記載の情報処理装置。
【請求項３】
前記制御部は、前記一の項目画像の面積に応じて、前記一の項目画像の面積に対する前記減速領域の比を設定する、
請求項１または２に記載の情報処理装置。
【請求項４】
前記減速領域は、前記一の項目画像の外周に沿う、前記一の項目画像の一部に設けられる、
請求項１から３のいずれか１項に記載の情報処理装置。
【請求項５】
前記減速領域は、前記一の項目画像の全域に設けられる、
請求項１から３のいずれか１項に記載の情報処理装置。
【請求項６】
前記制御部は、前記カーソルが前記複数の項目画像以外の領域に位置する場合、前記カーソルが前記一の項目画像の内側に位置する場合と比較して、前記カーソル操作の操作量あたりの前記カーソルの移動量を大きくする、
請求項１から５のいずれか１項に記載の情報処理装置。
【請求項７】
前記一の項目画像と前記他の項目画像とが互いに離間して配置され、
前記制御部は、前記一の項目画像と前記他の項目画像との間に境界線を設け、前記カーソルが前記境界線と前記一の項目画像との間の領域にある場合、前記一の項目画像が前記カーソルによって選択されていると判断し、前記カーソルが前記境界線と前記他の項目画像との間の領域にある場合、前記他の項目画像が前記カーソルによって選択されていると判断する、
請求項１から６のいずれか１項に記載の情報処理装置。
【請求項８】
前記制御部は、前記カーソルが前記複数の項目画像以外の領域に位置する場合、前記カーソルと前記複数の項目画像のうち前記カーソルの移動方向にある項目画像との位置関係に応じて、前記カーソル操作の操作量あたりの前記カーソルの移動量を変更する、
請求項１から７のいずれか１項に記載の情報処理装置。
【請求項９】
前記受付部は、前記ユーザのジェスチャを検出するための撮像装置からのデータに基づいて、前記操作情報を受け付ける
請求項１から８のいずれか１項に記載の情報処理装置。
【発明の詳細な説明】
【技術分野】
【０００１】
本発明は、情報処理装置に関する。
【背景技術】
【０００２】
グラフィカルユーザインタフェイス（ＧＵＩ）を用いる情報処理装置では、例えば、特許文献１に開示されるように、ポインタを用いてボタン等の項目画像が選択される。特許文献１には、表示画面上のボタンの周囲に沿う特定の領域にポインタが入るときにはポインタの動作速度を加速し、逆に特定の領域から出るときにはポインタの動作速度を減速する技術が記載されている。
【先行技術文献】
【特許文献】
【０００３】
【特許文献１】特開平１０−１９８５１９号公報
【発明の概要】
【発明が解決しようとする課題】
【０００４】
特許文献１に記載の技術では、ポインタがボタンから出る方向に他のボタンがない場合においてもポインタの動作の減速を行うため、ユーザにとって煩わしい場合がある。
【課題を解決するための手段】
【０００５】
以上の課題を解決するために、本発明の好適な態様に係る情報処理装置は、互いに離間して配置される複数の項目画像及びカーソルを表示装置に表示する情報処理装置であって、前記カーソルをユーザが移動させるカーソル操作の内容に応じた操作情報を受け付ける受付部と、前記操作情報に基づいて前記表示装置に前記カーソルを表示させる制御部と、前記複数の項目画像のうちの一の項目画像の内側から外側に向かって前記カーソルを移動させることを前記操作情報が指示する場合、前記カーソルの移動方向に沿って前記一の項目画像から所定距離内に他の項目画像があるかを判定する判定部と、を備え、前記制御部は、前記判定部の判定結果が肯定である場合、前記一の項目画像の内側に、前記カーソル操作の操作量あたりの前記カーソルの移動量が減少する減速領域を設け、前記判定部の判定結果が否定である場合、前記一の項目画像の内側に、前記減速領域を設けない。
【発明の効果】
【０００６】
本発明に係る情報処理装置によれば、判定部の判定結果に基づいて選択中の項目画像に減速領域を設けるか否かが決められるので、ユーザにとって操作の煩わしさを低減することができる。
【図面の簡単な説明】
【０００７】
【図１】第１実施形態に係る情報処理装置を用いるシステムの構成例の外観を概略的に示す図である。
【図２】第１実施形態に係る情報処理装置を用いるシステムを示すブロック図である。
【図３】第１実施形態における表示装置での表示の一例を示す図である。
【図４】選択中の項目画像に対してカーソルの移動方向に他の項目画像がある場合を説明するための図である。
【図５】選択中の項目画像に対してカーソルの移動方向に他の項目画像がない場合を説明するための図である。
【図６】第１実施形態に係る情報処理装置の動作を示すフローチャートである。
【図７】第２実施形態における表示装置での表示の一例を示す図である。
【図８】第２実施形態における選択中の項目画像に対してカーソルの移動方向に他の項目画像がある場合を説明するための図である。
【図９】第２実施形態に係る情報処理装置の動作を示すフローチャートである。
【図１０】変形例１における選択中の項目画像に対してカーソルの移動方向に他の項目画像がある場合を説明するための図である。
【図１１】変形例２における選択中の項目画像に対してカーソルの移動方向に他の項目画像がある場合を説明するための図である。
【図１２】変形例３に係る情報処理装置を用いるシステムを示すブロック図である。
【発明を実施するための形態】
【０００８】
[１．第１実施形態]
［１．１．情報処理装置を用いるシステムの概要］
図１は、第１実施形態に係る情報処理装置１０を用いるシステム１の構成例の外観を概略的に示す図である。図１に示すシステム１は、グラフィカルユーザインタフェイスを用いて各種情報処理を行うシステムである。本実施形態では、ユーザＵの手Ｈの動き（ジェスチャ）による操作を行う構成の情報処理装置が例示される。
【０００９】
システム１は、図１に示すように、情報処理装置１０と表示装置２０と撮像装置３０とを有する。情報処理装置１０は、後に詳述する構成のコンピュータ装置である。図１では、情報処理装置１０がノート型のパーソナルコンピュータである場合が例示される。なお、情報処理装置１０は、ノート型のパーソナルコンピュータに限定されず、例えば、デスクトップ型のパーソナルコンピュータ、スマートフォン又はタブレット等であってもよい。また、情報処理装置１０は、既製のハードウェアを用いて構成してもよいし、専用のハードウェアを用いて構成してもよい。
【００１０】
表示装置２０は、例えば液晶表示パネル、又は有機ＥＬ（Electro Luminescence）表示パネル等の各種の表示パネルを用いる表示装置である。なお、表示装置２０は、スクリーンに画像光を投射して画像を表示するプロジェクタ等であってもよいし、ヘッドマウントディスプレイまたはヘッドアップディスプレイ等であってもよい。
【００１１】
撮像装置３０は、ユーザＵを撮像し、その撮像画像を示すデータを出力する装置である。当該撮像画像は、例えば、行列状に配置される複数の画素によって構成される。当該データは、当該撮像画像の画素ごとの輝度等に関する情報を含む。撮像装置３０は、例えば撮像光学系及び撮像素子を含む。撮像光学系は、少なくとも１つの撮像レンズを含む光学系であり、プリズム等の各種の光学素子を備えてもよいし、ズームレンズやフォーカスレンズ等を備えてもよい。撮像素子は、例えば、ＣＣＤ（Charge Coupled Device）イメージセンサー又はＣＭＯＳ（Complementary MOS）イメージセンサー等によって構成される。図１では、撮像装置３０が表示装置２０に対して上側に設置される場合が例示される。なお、撮像装置３０の設置位置は、ユーザＵを撮像することができればよく、図１の例示に限定されず、任意である。
【００１２】
システム１において、情報処理装置１０は、複数の項目画像ＧＩ−１〜ＧＩ−６及びカーソルＣＵＲを含む画像Ｇを表示装置２０に表示させる。そして、情報処理装置１０は、撮像装置３０からのデータに基づいて、ユーザＵからの操作を受け付けて、カーソルＣＵＲを移動させる。例えば、手Ｈが図１中の実線により示される位置から二点鎖線により示される位置に動いた場合、カーソルＣＵＲが図１中の実線により示される位置（項目画像ＧＩ−４）から二点鎖線により示される位置（項目画像ＧＩ−５）に移動する。以下では、複数の項目画像ＧＩ−１〜ＧＩ−６を互いに区別する必要がない場合、複数の項目画像ＧＩ−１〜ＧＩ−６のそれぞれを項目画像ＧＩともいう。
【００１３】
ここで、カーソルＣＵＲが項目画像ＧＩを選択する状態では、カーソルＣＵＲによって選択される項目画像ＧＩに対してカーソルＣＵＲの移動方向に他の項目画像がある場合、情報処理装置１０は、ユーザＵからの単位操作量あたりのカーソルＣＵＲの移動量を減少させる。このため、ユーザＵが当該他の項目画像ＧＩを意図せず選択してしまうのを低減できる。一方、カーソルＣＵＲにより選択される項目画像ＧＩに対してカーソルＣＵＲの移動方向に他の項目画像がない場合、情報処理装置１０は、ユーザＵからの単位操作量あたりのカーソルＣＵＲの移動量を減少させない。このため、ユーザＵは、カーソルＣＵＲを選択中の項目画像ＧＩの外側に迅速に移動させ、かつ、複数の項目画像ＧＩ−１〜ＧＩ−６以外の領域ＲＳを経由した他のカーソル操作を行うことができる。領域ＲＳでは、ユーザＵは、カーソルＣＵＲの位置を任意の位置へ連続的に変化させることが可能である。なお、領域ＲＳは、前述の領域ＲＳ１のほか、複数の項目画像ＧＩ−１〜ＧＩ−６からなる集合体全体を囲む環状の領域ＲＳ２を含む。
【００１４】
［１．２．情報処理装置を用いるシステムのハードウェア構成］
図２は、第１実施形態に係る情報処理装置１０を用いるシステム１を示すブロック図である。図２に示すように、情報処理装置１０は、処理装置１１、記憶装置１２、通信装置１３、入力装置１４、出力装置１５及びこれらの装置を接続するバス１６を備える。バス１６は、単一のバスによって構成されてもよいし、装置間において異なるバスによって構成されてもよい。
【００１５】
処理装置１１は、情報処理装置１０の全体を制御するプロセッサであり、例えば単数又は複数のチップによって構成される。処理装置１１は、例えば、周辺装置とのインタフェース、演算装置及びレジスタ等を含む中央処理装置（ＣＰＵ：Central Processing Unit）によって構成される。なお、処理装置１１の機能の一部又は全部を、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアによって実現してもよい。処理装置１１は、各種の処理を並列的又は逐次的に実行する。
【００１６】
記憶装置１２は、処理装置１１が読取可能な記録媒体であり、処理装置１１が実行する制御プログラムＰ１を含む複数のプログラム、及び処理装置１１が使用する各種のデータを記憶する。記憶装置１２は、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）等の記憶回路の１種類以上で構成される。
【００１７】
通信装置１３は、他の装置と通信する機器である。通信装置１３は、移動体通信網又はインターネット等のネットワークを介して他の装置と通信する機能、近距離無線通信によって他の装置と通信する機能を備える。近距離無線通信には、例えばＢｌｕｅｔｏｏｔｈ（登録商標）、ＺｉｇＢｅｅ、又は、ＷｉＦｉ（登録商標）等が挙げられる。本実施形態では、通信装置１３は、前述の表示装置２０及び撮像装置３０のそれぞれと通信する機能を有する。
【００１８】
入力装置１４は、外部からの入力を受け付ける入力デバイス（例えば、キーボード、マウス、マイクロフォン、スイッチ、ボタン、センサ等）である。なお、入力装置１４は、前述の撮像装置３０を含んでもよい。入力装置１４は、必要に応じて設ければよく、省略してもよい。
【００１９】
出力装置１５は、外部への出力を実施する出力デバイス（例えば、ディスプレイ、スピーカー、LEDランプ等）である。なお、出力装置１５は、入力装置１４と一体となった構成（例えば、タッチパネル）であってもよい。また、出力装置１５は、前述の表示装置２０を含んでもよい。また、出力装置１５は、必要に応じて設ければよく、省略してもよい。
【００２０】
［１．３．情報処理装置の機能］
処理装置１１は、記憶装置１２から読み取った制御プログラムＰ１を実行することによって、受付部１１１及び制御部１１２として機能する。したがって、情報処理装置１０は、受付部１１１と制御部１１２と判定部１１３とを備える。
【００２１】
受付部１１１は、ユーザＵがカーソルＣＵＲを移動させるカーソル操作の内容に応じた操作情報を受け付ける。本実施形態の受付部１１１は、撮像装置３０からデータに基づいてユーザＵのジェスチャを検出し、当該ジェスチャを用いたカーソル操作の内容に応じた操作情報を受け付ける。具体的には、受付部１１１は、撮像装置３０からのデータが示す撮像画像からユーザＵの手Ｈの位置を特定し、当該位置の動きをユーザＵのカーソル操作として取り扱い、当該カーソル操作の内容に応じた操作情報を含む信号を出力する。ここで、受付部１１１は、例えば、特定の状態にある手Ｈを検出し、手Ｈが当該特定の状態となる期間にわたって、当該操作情報を受け付ける。当該特定の状態は、特に限定されないが、例えば、表示装置２０又は撮像装置３０に向かってユーザＵが手Ｈのひらを広げてかざす状態である。手Ｈの位置は、例えば、当該撮像画像に設定される二次元座標系の座標値として特定される。当該操作情報は、例えば、当該撮像画像に設定される二次元座標系の座標値の変化を示す情報である。なお、受付部１１１におけるジェスチャの検出には、例えば、テンプレートマッチング等の画像処理技術を用いることができる。また、受付部１１１におけるジェスチャの検出の判断基準は、例えば、機械学習等の結果に応じて変化してもよい。
【００２２】
制御部１１２は、複数の項目画像ＧＩ及びカーソルＣＵＲを表示装置２０に表示させる。ここで、制御部１１２は、受付部１１１からの操作情報に基づいて表示装置２０にカーソルＣＵＲを表示させる。具体的には、制御部１１２は、受付部１１１からの操作情報に基づくカーソル操作の操作量および操作方向に応じて、表示装置２０の表示領域内におけるカーソルＣＵＲの位置を変更する。当該カーソル操作の操作量は、例えば、当該操作情報が二次元座標系の座標値の変化を示す情報である場合、当該座標値の変化量（移動量）である。つまり、カーソル操作の操作量は、ユーザＵの手Ｈの移動距離を表す。また、当該カーソル操作の操作方向は、例えば、当該操作情報が二次元座標系の座標値の変化を示す情報である場合、当該座標値の移動方向である。以下、制御部１１２での表示制御について詳述する。
【００２３】
図３は、表示装置２０での表示の一例を示す図である。以下では、図３に示すように、表示装置２０の表示領域の横方向をＸ方向と表記し、縦方向をＹ方向と表記する。制御部１１２は、図３に示すように、複数の項目画像ＧＩ−１〜ＧＩ−６及びカーソルＣＵＲを含む画像Ｇを表示装置２０に表示させる。カーソルＣＵＲは、画像Ｇ内を移動する。複数の項目画像ＧＩ−１〜ＧＩ−６のそれぞれは、例えば、カーソルＣＵＲによる選択により所定の指示を与えるアイコン又はボタン等である。ここで、複数の項目画像ＧＩ−１〜ＧＩ−６は、互いに離間して、Ｘ方向及びＹ方向に行列状に並んで配置される。図３では、６つの項目画像ＧＩ−１〜ＧＩ−６が互いに同じ形状及び面積を持ってＸ方向及びＹ方向に等間隔に配置される場合が例示される。なお、項目画像ＧＩの形状、面積、数及び配置等は、図３の例示に限定されず、任意である。また、「カーソル」は、ポインタ等とも換言される。
【００２４】
前述のように、画像Ｇは、複数の項目画像ＧＩ−１〜ＧＩ−６及びカーソルＣＵＲのほか、複数の項目画像ＧＩ−１〜ＧＩ−６以外の領域ＲＳを含む。領域ＲＳは、複数の項目画像ＧＩ−１〜ＧＩ−６の間の領域ＲＳ１と、複数の項目画像ＧＩ−１〜ＧＩ−６からなる集合体全体を囲む環状の領域ＲＳ２と、を含む。制御部１１２は、カーソルＣＵＲが領域ＲＳに位置する場合、手Ｈの動きに応じてカーソルＣＵＲの位置を連続的に変化させる。これに対し、制御部１１２は、カーソルＣＵＲが複数の項目画像ＧＩ−１〜ＧＩ−６のうちの任意の一の項目画像ＧＩの内側に位置する場合、判定部１１３の判定結果に基づいて、カーソルＣＵＲの移動方向によってカーソルＣＵＲの挙動を異ならせる。ここで、判定部１１３は、複数の項目画像ＧＩ−１〜ＧＩ−６のうちの一の項目画像ＧＩの内側から外側にカーソルＣＵＲを移動させることを受付部１１１からの操作情報が指示する場合、カーソルＣＵＲの移動方向に沿って当該一の項目画像ＧＩから所定距離Ｄ内に他の画像ＧＩがあるかを判定する。
【００２５】
図４は、選択中の項目画像ＧＩ−１に対してカーソルＣＵＲの移動方向に他の項目画像ＧＩ−２がある場合を説明するための図である。図４に示す場合、カーソルＣＵＲの移動方向（Ｘ方向の正側）に沿って項目画像ＧＩ−１から所定距離Ｄ内に他の項目画像ＧＩとして項目画像ＧＩ−２があるため、判定部１１３の判定結果は肯定である。ここで、判定部１１３における判定は、例えば、カーソルＣＵＲの移動方向に沿って項目画像ＧＩ−１から所定距離Ｄ離れた位置ＰＦまでを結ぶ線分に他の項目画像ＧＩの外縁が交差するか否かにより行う。制御部１１２は、判定部１１３の判定結果が肯定である場合、選択中の項目画像ＧＩ−１の内側に、減速領域ＲＲを設ける。本実施形態の減速領域ＲＲは、項目画像ＧＩ−１の内側の図４中の破線よりも右側の領域に、項目画像ＧＩ−１の右辺Ｓに沿って所定幅をもって設けられる。減速領域ＲＲは、受付部１１１でのカーソル操作の操作量あたりのカーソルＣＵＲの移動量が減少する領域である。その減少の程度は、減速領域ＲＲの幅または面積に応じて決定され、特に限定されないが、例えば、通常時（基準値Ａ）の２０％以上８０％以下の範囲内である。なお、図４では、所定距離Ｄ内にある他の項目画像ＧＩの数が１つである場合が例示されるが、所定距離Ｄ内にある他の項目画像ＧＩの数が複数であってもよい。
【００２６】
本実施形態の制御部１１２は、カーソルＣＵＲが減速領域ＲＲに達するまでの間、受付部１１１でのカーソル操作の移動量あたりのカーソルＣＵＲの移動量を基準値Ａとし、受付部１１１に対する操作量に応じて、カーソルＣＵＲを移動させる。そして、制御部１１２は、カーソルＣＵＲが減速領域ＲＲに達した場合、受付部１１１でのカーソル操作の移動量あたりのカーソルＣＵＲの移動量を基準値Ａよりも減少させる。このため、選択中の項目画像ＧＩ−１からカーソルＣＵＲが外れ難いような操作感をユーザＵに提供できる。また、本実施形態では、減速領域ＲＲが項目画像ＧＩ−１の外周に沿う一部に設けられるため、カーソルＣＵＲが項目画像ＧＩ−１から外れ難くなり過ぎるのを防止できる。制御部１１２は、カーソルＣＵＲが項目画像ＧＩ−１の外縁に達した場合、減速領域ＲＲを項目画像ＧＩ−１から除去する。
【００２７】
本実施形態における項目画像ＧＩ−１と項目画像ＧＩ−２との間の領域ＲＳ１には、増速領域ＲＩが設けられる。図４では、領域ＲＳ１の全域に増速領域ＲＩが設けられる場合が例示される。増速領域ＲＩは、受付部１１１でのカーソル操作の移動量あたりのカーソルＣＵＲの移動量が基準値Ａよりも増大する領域である。制御部１１２は、カーソルＣＵＲが増速領域ＲＩに達した場合、受付部１１１でのカーソル操作の移動量あたりのカーソルＣＵＲの移動量を基準値Ａよりも増加させる。このため、カーソルＣＵＲが項目画像ＧＩ−２に吸い付くような操作感をユーザＵに提供できる。
【００２８】
また、本実施形態の制御部１１２は、項目画像ＧＩ−１と項目画像ＧＩ−２との間に境界線ＬＢを設ける。図４では、項目画像ＧＩ−１と項目画像ＧＩ−２との間の中間の位置に境界線ＬＢが設けられる。そして、制御部１１２は、カーソルＣＵＲが境界線ＬＢと項目画像ＧＩ−１との間の領域にある場合、項目画像ＧＩ−１がカーソルＣＵＲによって選択されていると判断する。反対に、制御部１１２は、カーソルＣＵＲが境界線ＬＢと項目画像ＧＩ−２との間の領域にある場合、項目画像ＧＩ−２がカーソルＣＵＲによって選択されていると判断する。このため、項目画像ＧＩ−１およびＧＩ−２のいずれもがカーソルＣＵＲによって選択されない状態となることを防止できる。更に、複数の項目画像ＧＩが互いに離間して配置される。このため、複数の項目画像ＧＩが互いに接して配置される場合に比べて、項目画像ＧＩ−１およびＧＩ−２のうちのいずれがカーソルＣＵＲで選択されているのかがユーザＵにとって視覚的にわかりやすい。なお、境界線ＬＢは、項目画像ＧＩ−１と項目画像ＧＩ−２との間の中間よりも項目画像ＧＩ−１の近くに偏在してもよいし、項目画像ＧＩ−２の近くに偏在してもよい。また、図４では、境界線ＬＢがＹ方向に平行な直線であるが、境界線ＬＢが湾曲または屈曲した部分またはＹ方向に対して傾斜した部分を有してもよい。また、境界線ＬＢは、必要に応じて設ければよく、省略してもよい。
【００２９】
また、制御部１１２がカーソルＣＵＲを項目画像ＧＩ−１から項目画像ＧＩ−２へ移動させるのに受付部１１１によって受け付けられる必要な操作量（以下、「選択時の操作量」ともいう）は、制御部１１２がカーソルＣＵＲを複数の項目画像ＧＩ−１〜ＧＩ−６以外の領域ＲＳにおいて距離Ｌ１移動させるのに受付部１１１によって受け付けられる必要な操作量（以下、「非選択時の操作量」ともいう）と同じでも異なってもよい。ここで、選択時の操作量が非選択時の操作量よりも大きい場合、カーソルＣＵＲが項目画像ＧＩ−２に吸い付くような操作感をユーザＵに提供できる。一方、選択時の操作量が非選択時の操作量よりも小さい場合、選択中の項目画像ＧＩ−１からカーソルＣＵＲが外れ難いような操作感をユーザＵに提供できる。
【００３０】
なお、ユーザＵが項目画像ＧＩ−２から項目画像ＧＩ−１へカーソルＣＵＲを移動させる場合も、カーソルＣＵＲの移動方向が異なる以外は、制御部１１２による制御は、前述の図４に示す場合と同様である。また、Ｘ方向において隣り合う他の２つの項目画像ＧＩの間においてユーザＵがカーソルＣＵＲを移動させる場合も、制御部１１２による制御は、前述の図４に示す場合と同様である。さらに、Ｙ方向において隣り合う２つの項目画像ＧＩの間においてユーザＵがカーソルＣＵＲを移動させる場合も、カーソルＣＵＲの移動方向が異なる以外は、制御部１１２による制御は、前述の図４に示す場合と同様である。さらに、項目画像ＧＩ−１から項目画像ＧＩ−５へユーザＵがカーソルＣＵＲを移動させる場合のように、Ｘ方向およびＹ方向に対して傾斜する方向に隣り合う他の２つの項目画像ＧＩの間においてユーザＵがカーソルＣＵＲを移動させる場合も、カーソルＣＵＲの移動方向が異なる以外は、制御部１１２による制御は、前述の図４に示す場合と同様である。
【００３１】
図５は、選択中の項目画像ＧＩ−３に対してカーソルＣＵＲの移動方向に他の項目画像ＧＩがない場合を説明するための図である。図５に示す場合、カーソルＣＵＲの移動方向（Ｘの正方向）に沿って項目画像ＧＩ−３から所定距離Ｄ内に他の項目画像ＧＩがないため、判定部１１３の判定結果は否定である。制御部１１２は、判定部１１３の判定結果が否定である場合、図５に示すように、項目画像ＧＩ−３の内側に、前述の減速領域ＲＲを設けない。このため、ユーザＵは、項目画像ＧＩ−３の内側から領域ＲＳに迅速にカーソルＣＵＲを移動させることができる。領域ＲＳでは、ユーザＵは、カーソルＣＵＲの位置を任意の位置へ連続的に変化させることが可能である。例えば、ユーザＵが項目画像ＧＩ−１から領域ＲＳへカーソルＣＵＲを移動させる場合、図３中の破線によって示されるように、ユーザＵは、領域ＲＳ２を経由してカーソルＣＵＲを項目画像ＧＩ−１から最も遠い項目画像ＧＩ−６に迅速に移動させることができる。
【００３２】
ここで、本実施形態の制御部１１２は、複数の項目画像ＧＩ−１〜ＧＩ−６以外の領域ＲＳにカーソルＣＵＲが位置する場合、項目画像ＧＩ−１〜ＧＩ−６のうちの一の項目画像ＧＩの内側にカーソルＣＵＲが位置する場合と比較して、受付部１１１によって受け付けられた操作情報が示すカーソル操作の操作量あたりのカーソルＣＵＲの移動量（単位操作量あたりの移動量）を大きくする。本実施形態の制御部１１２は、低速モードおよび高速モードを有し、受付部１１１からの操作情報に基づいて、これらのモード間において使用するモードを選択的に切り替え可能である。当該低速モードは、カーソルＣＵＲの単位操作量あたりの移動量が第１移動量であるモードである。当該高速モードは、カーソルＣＵＲの単位操作量あたりの移動量が第１移動量よりも大きい第２移動量であるモードである。このように項目画像ＧＩの内外でカーソルＣＵＲの単位操作量あたりの移動量を異ならせることで、受付部１１１でのカーソル操作の移動量あたりのカーソルＣＵＲの移動量が一定である場合に比べて、領域ＲＳにおけるカーソルＣＵＲの操作性を向上させることができる。
【００３３】
また、制御部１１２は、カーソルＣＵＲが領域ＲＳに位置する場合、カーソルＣＵＲと複数の項目画像ＧＩ−１〜ＧＩ−６のうちカーソルＣＵＲの移動方向にある項目画像ＧＩとの位置関係に応じて、受付部１１１でのカーソル操作の移動量あたりのカーソルＣＵＲの移動量を変更することが好ましい。この場合、受付部１１１でのカーソル操作の移動量あたりのカーソルＣＵＲの移動量が一定である場合に比べて、カーソルＣＵＲの操作性を高めることができる。例えば、カーソルＣＵＲの移動方向にある項目画像ＧＩがカーソルＣＵＲから遠いほど、受付部１１１でのカーソル操作の移動量あたりのカーソルＣＵＲの移動量が大きく設定される。このため、目的とする項目画像ＧＩへカーソルＣＵＲをユーザＵが迅速かつ正確に移動させることが容易である。
【００３４】
なお、ユーザＵが項目画像ＧＩ−６から領域ＲＳへカーソルＣＵＲを移動させる場合も、制御部１１２による制御は、前述の図５に示す場合と同様である。また、ユーザＵがその他の項目画像ＧＩから領域ＲＳへカーソルＣＵＲを移動させる場合も、カーソルＣＵＲの移動方向が異なる以外は、制御部１１２による制御は、前述の図５に示す場合と同様である。
【００３５】
［１．４．情報処理装置の動作］
図６は、第１実施形態に係る情報処理装置１０の動作を示すフローチャートである。以下、図６に基づいて、カーソルＣＵＲの移動制御の流れを説明する。図６に示すように、まず、判定部１１３が、カーソルＣＵＲが複数の項目画像ＧＩ−１〜ＧＩ−６のうちの一の項目画像ＧＩを選択しているか否かを判断する（Ｓ１）。ステップＳ１の判断結果が肯定である場合、制御部１１２は、低速モードを選択する（Ｓ２）。一方、ステップＳ１の判断結果が否定である場合、制御部１１２は、高速モードを選択する（Ｓ３）。
【００３６】
ステップＳ２の後、判定部１１３は、選択中の項目画像ＧＩからカーソルＣＵＲの移動方向での所定距離Ｄ内に他の項目画像ＧＩがあるか否かを判断する（Ｓ４）。当該所定距離Ｄ内に他の項目画像ＧＩがない場合、処理が前述のステップＳ１に戻る。
【００３７】
当該所定距離Ｄ内に他の項目画像ＧＩがある場合、制御部１１２は、選択中の項目画像ＧＩ内に減速領域ＲＲを設ける（Ｓ５）。その後、制御部１１２は、選択中の項目画像ＧＩの外縁にカーソルＣＵＲが達したか否かを判断する（Ｓ６）。本ステップＳ６は、選択中の項目画像ＧＩの外縁にカーソルＣＵＲが達するまで繰り返される。
【００３８】
選択中の項目画像ＧＩの外縁にカーソルＣＵＲが達した場合、制御部１１２は、減速領域ＲＲを除去する（Ｓ７）。その後、制御部１１２は、終了指示があるか否かを判断する（Ｓ８）。終了指示がない場合、処理が前述のステップＳ１に戻る。一方、終了指示がある場合、一連の処理が終了する。
【００３９】
前述のステップＳ３の後は、制御部１１２は、カーソルＣＵＲの移動方向にある項目画像ＧＩとカーソルＣＵＲとの位置関係に基づいて、カーソルＣＵＲの単位操作量あたりの移動量を調整する（Ｓ９）。その後、処理が前述のステップＳ８に移行する。
【００４０】
以上の情報処理装置１０では、制御部１１２は、複数の項目画像ＧＩ−１〜ＧＩ−６のうちの一の項目画像ＧＩの内側から外側に向かってカーソルＣＵＲを移動させる際、選択中の項目画像ＧＩからカーソルＣＵＲの移動方向における所定距離Ｄ内に他の項目画像ＧＩがあるか否かを判断する。そして、制御部１１２は、当該所定距離Ｄ内に他の項目画像ＧＩがある場合、当該一の項目画像ＧＩの内側に、受付部１１１でのカーソル操作の移動量あたりのカーソルＣＵＲの移動量が減少する減速領域ＲＲを設ける。このため、当該他の項目画像ＧＩが意図せず選択されてしまうのを低減できる。
【００４１】
一方、制御部１１２は、当該所定距離Ｄ内に当該他の項目画像ＧＩがない場合、減速領域ＲＲを設けない。このため、ユーザＵは、カーソルＣＵＲを当該一の項目画像ＧＩの外側に迅速に移動させ、他の操作を行うことができる。例えば、ユーザＵは、カーソルＣＵＲを、当該一の項目画像ＧＩから複数の項目画像ＧＩ−１〜ＧＩ−６のうちの当該他の項目画像ＧＩ以外の任意の項目画像ＧＩへ迅速に移動させることができる。
【００４２】
[２．第２実施形態]
以下、本発明の第２実施形態について説明する。以下に例示する形態において作用や機能が第１実施形態と同様である要素については、第１実施形態の説明で使用した符号を流用して各々の詳細な説明を適宜に省略する。
【００４３】
図７は、第２実施形態における表示装置２０での表示の一例を示す図である。本実施形態の制御部１１２は、図７に示すように、画像ＧＡを表示装置２０に表示させる。画像ＧＡは、項目画像ＧＩ−４、ＧＩ−５及びＧＩ−６に代えて、項目画像ＧＩ−４Ａ、ＧＩ−５Ａ及びＧＩ−６Ａを含む以外は、前述の第１実施形態の画像Ｇと同様である。項目画像ＧＩ−４Ａ、ＧＩ−５Ａ及びＧＩ−６Ａは、互いに離間して、Ｘ方向に並んで配置される。また、項目画像ＧＩ−４Ａ、ＧＩ−５Ａ及びＧＩ−６Ａのそれぞれの面積は、項目画像ＧＩ−４、ＧＩ−５及びＧＩ−６のそれぞれの面積よりも小さい。
【００４４】
図８は、第２実施形態における選択中の項目画像ＧＩ−４Ａに対してカーソルＣＵＲの移動方向に他の項目画像ＧＩ−５Ａがある場合を説明するための図である。制御部１１２は、図８に示すように、選択中の項目画像ＧＩ−４ＡからカーソルＣＵＲの移動方向（Ｘ方向の正側）における所定距離Ｄ内に他の項目画像ＧＩ−５Ａがある場合、選択中の項目画像ＧＩ−４Ａの内側に、減速領域ＲＲを設ける。本実施形態では、減速領域ＲＲは、項目画像ＧＩ−４Ａの全域に設けられる。このため、項目画像ＧＩ−４の面積が項目画像ＧＩ−１等の面積よりも小さくても、カーソルＣＵＲが項目画像ＧＩ−４から意図せず外れてしまうのを低減できる。
【００４５】
ここで、カーソルＣＵＲによって項目画像ＧＩ−１〜ＧＩ−３のいずれかが選択される場合、前述の第１実施形態と同様に、制御部１１２は、カーソルＣＵＲの移動を制御する。したがって、項目画像ＧＩ−４Ａ、ＧＩ−５Ａ及びＧＩ−６Ａでは、項目画像ＧＩの全域に減速領域ＲＲが設けられるのに対し、項目画像ＧＩ−１、ＧＩ−２及びＧＩ−３では、項目画像ＧＩの一部の領域に減速領域ＲＲが設けられる。このように、選択中の項目画像ＧＩが項目画像ＧＩ−４Ａ、ＧＩ−５Ａ又はＧＩ−６Ａであるか、項目画像ＧＩ−１、ＧＩ−２又はＧＩ−３であるかによって、項目画像ＧＩの面積に対する減速領域ＲＲの面積の比が異なる。すなわち、本実施形態の制御部１１２は、選択中の項目画像ＧＩの面積に応じて、選択中の項目画像ＧＩの面積に対する減速領域ＲＲの面積の比を設定する。より具体的には、制御部１１２は、選択中の項目画像ＧＩの面積が小さいほど、当該比を大きくする。このため、誤操作の低減と操作性との両立を図れる。
【００４６】
図９は、第２実施形態に係る情報処理装置の動作を示すフローチャートである。以下、図９に基づいて、本実施形態の制御部１１２によるカーソルＣＵＲの移動制御の流れを説明する。制御部１１２は、図９に示すように、まず、前述の第１実施形態と同様、ステップＳ１、Ｓ２、Ｓ３及びＳ４の処理を実行する。ステップＳ４において当該所定距離Ｄ内に他の項目画像ＧＩがある場合、制御部１１２は、選択中の項目画像ＧＩの面積を算出する（Ｓ１０）。その後、制御部１１２は、選択中の項目画像ＧＩ内に算出面積に基づく面積比の減速領域ＲＲを設ける（Ｓ１１）。ステップＳ１１の処理の実行後、制御部１１２は、前述の第１実施形態と同様、ステップＳ６〜Ｓ８の処理を実行する。以上の本実施形態によれば、前述の第１実施形態と同様の効果に加え、互いに異なる大きさの項目画像ＧＩが混在する場合においても、誤操作の低減と操作性との両立を図れるという利点がある。
【００４７】
[３．変形例]
本発明は、以上に例示した各実施形態に限定されない。具体的な変形の態様を以下に例示する。以下の例示から任意に選択された２以上の態様を併合してもよい。
【００４８】
（１）上述した実施形態では、減速領域ＲＲおよび増速領域ＲＩのそれぞれにおいて、受付部１１１でのカーソル操作の移動量あたりのカーソルＣＵＲの移動量が一定である場合が例示されるが、当該例示に限定されず、受付部１１１でのカーソル操作の移動量あたりのカーソルＣＵＲの移動量が変化してもよい。
【００４９】
図１０は、変形例１における選択中の項目画像ＧＩ−１に対してカーソルＣＵＲの移動方向に他の項目画像ＧＩ−２がある場合を説明するための図である。図１０に示す変形例１では、減速領域ＲＲにおける受付部１１１でのカーソル操作の移動量あたりのカーソルＣＵＲの移動量が項目画像ＧＩ−１の外縁に向けて漸次減少する。このため、カーソルＣＵＲが減速領域ＲＲに達したときの操作感をより自然な操作感とすることができる。また、図１０に示す変形例１では、増速領域ＲＩにおける受付部１１１でのカーソル操作の移動量あたりのカーソルＣＵＲの移動量が項目画像ＧＩ−２の外縁に向けて漸次増加する。このため、カーソルＣＵＲが増速領域ＲＩに達したときの操作感をより自然な操作感とすることができる。
【００５０】
（２）上述した実施形態では、隣り合う２つの項目画像ＧＩの間に境界線ＬＢを設ける場合が例示されるが、当該例示に限定されず、境界線ＬＢを省略してもよい。
【００５１】
図１１は、変形例２における選択中の項目画像ＧＩ−１に対してカーソルＣＵＲの移動方向に他の項目画像ＧＩ−２がある場合を説明するための図である。図１１に示す変形例２では、カーソルＣＵＲは、選択中の項目画像ＧＩ−１の外縁に達した場合、項目画像ＧＩ−１と項目画像ＧＩ−２との間の領域ＲＳ１を経由せずに項目画像ＧＩ−２に移動する。以上の変形例２によっても、項目画像ＧＩ−１およびＧＩ−２のいずれもがカーソルＣＵＲによって選択されない状態となることを防止できる。
【００５２】
（３）上述した実施形態において、表示装置２０および撮像装置３０が情報処理装置１０とは別体である構成が例示されるが、当該構成に限定されない。例えば、表示装置２０および撮像装置３０の一方または両方が情報処理装置１０とは一体であってもよい。
【００５３】
図１２は、変形例３に係る情報処理装置１０Ａを用いるシステム１Ａを示すブロック図である。図１２に示すシステム１Ａでは、情報処理装置１０Ａ、表示装置２０および撮像装置３０が一体となっている。ここで、表示装置２０および撮像装置３０は、情報処理装置１０Ａのバス１６に通信可能に接続される。情報処理装置１０Ａでは、前述の実施形態の通信装置１３が省略される。
【００５４】
（４）上述した実施形態において、受付部１１１がユーザＵのジェスチャを用いた操作を受け付ける構成の情報処理装置が例示されるが、当該構成に限定されない。例えば、受付部１１１がマウス等のポインティングデバイスを介してユーザＵからの操作を受け付けてもよい。ただし、ユーザＵのジェスチャを用いた操作は、一般に、マウス等のポインティングデバイスによる操作に比べて、繊細な操作が難しい。したがって、受付部１１１がジェスチャを用いた操作を受け付ける場合、本発明を適用することにより得られる効果が特に顕著となる。
【００５５】
（５）上述した各実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
また、上述した各実施形態の説明に用いた「装置」という文言は、回路、デバイス又はユニット等の他の用語に読替えてもよい。
【００５６】
（６）上述した各実施形態における処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００５７】
（７）上述した各実施形態において、入出力された情報等は特定の場所(例えば、メモリ)に保存されてもよい。入出力される情報等は、上書き、更新、又は追記され得る。出力された情報等は削除されてもよい。入力された情報等は他の装置へ送信されてもよい。
【００５８】
（８）上述した各実施形態において、判定は、１ビットで表される値（０か１か）によって行われてもよいし、真偽値（Boolean：true又はfalse）によって行われてもよいし、数値の比較（例えば、所定の値との比較）によって行われてもよい。
【００５９】
（９）上述した各実施形態では、記憶装置１２は、処理装置１１が読取可能な記録媒体であり、ＲＯＭ及びＲＡＭなどを例示したが、フレキシブルディスク、光磁気ディスク(例えば、コンパクトディスク、デジタル多用途ディスク、Ｂｌｕ−ｒａｙ（登録商標）ディスク)、スマートカード、フラッシュメモリデバイス(例えば、カード、スティック、キードライブ)、ＣＤ−ＲＯＭ（Compact  Disc−ＲＯＭ）、レジスタ、リムーバブルディスク、ハードディスク、フロッピー（登録商標）ディスク、磁気ストリップ、データベース、サーバその他の適切な記憶媒体である。また、プログラムは、ネットワークから送信されても良い。また、プログラムは、電気通信回線を介して通信網から送信されても良い。
【００６０】
（１０）上述した各実施形態において、説明した情報及び信号などは、様々な異なる技術のいずれかを使用して表されてもよい。例えば、上述の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００６１】
（１１）図２に例示された各機能は、ハードウェア及びソフトウェアの任意の組合せによって実現される。また、各機能は、単体の装置によって実現されてもよいし、相互に別体で構成された２個以上の装置によって実現されてもよい。
【００６２】
（１２）上述した各実施形態で例示したプログラムは、ソフトウェア、ファームウェア、ミドルウェア、マイクロコード又はハードウェア記述言語と呼ばれるか、他の名称によって呼ばれるかを問わず、命令、命令セット、コード、コードセグメント、プログラムコード、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順又は機能等を意味するよう広く解釈されるべきである。
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００６３】
（１３）上述した各実施形態において、情報、パラメータなどは、絶対値で表されてもよいし、所定の値からの相対値で表されてもよいし、対応する別の情報で表されてもよい。例えば、無線リソースはインデックスで指示されるものであってもよい。
【００６４】
（１４）上述した各実施形態において、情報処理装置１０は、移動局である場合が含まれる。移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００６５】
（１５）上述した各実施形態において、「接続された(connected)」という用語、又はこれらのあらゆる変形は、２又はそれ以上の要素間の直接的又は間接的なあらゆる接続又は結合を意味し、互いに「接続」された２つの要素間に１又はそれ以上の中間要素が存在することを含むことができる。要素間の接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」されると考えることができる。
【００６６】
（１６）上述した各実施形態において、「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００６７】
（１７）本明細書で使用する「第１」、「第２」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素への参照は、２つの要素のみがそこで採用され得ること、又は何らかの形で第１の要素が第２の要素に先行しなければならないことを意味しない。
【００６８】
（１８）上述した各実施形態において「含む(including)」、「含んでいる（comprising）」、及びそれらの変形が、本明細書あるいは特許請求の範囲で使用されている限り、これら用語は、用語「備える」と同様に、包括的であることが意図される。さらに、本明細書あるいは特許請求の範囲において使用されている用語「又は（or）」は、排他的論理和ではないことが意図される。
【００６９】
（１９）本願の全体において、例えば、英語におけるa、an及びtheのように、翻訳によって冠詞が追加された場合、これらの冠詞は、文脈から明らかにそうではないことが示されていなければ、複数を含む。
【００７０】
（２０）本発明が本明細書中に説明した実施形態に限定されないことは当業者にとって明白である。本発明は、特許請求の範囲の記載に基づいて定まる本発明の趣旨及び範囲を逸脱することなく修正及び変更態様として実施できる。したがって、本明細書の記載は、例示的な説明を目的とし、本発明に対して何ら制限的な意味を有さない。また、本明細書に例示した態様から選択された複数の態様を組合わせてもよい。
【符号の説明】
【００７１】
１０…情報処理装置、２０…表示装置、１１１…受付部、１１２…制御部、ＣＵＲ…カーソル、ＧＩ…項目画像、ＧＩ−１…項目画像、ＧＩ−２…項目画像、ＧＩ−３…項目画像、ＧＩ−４…項目画像、ＧＩ−４Ａ…項目画像、ＧＩ−５…項目画像、ＧＩ−５Ａ…項目画像、ＧＩ−６…項目画像、Ｌ１…距離、ＬＢ…境界線、ＲＩ…増速領域、ＲＲ…減速領域、ＲＳ…領域、ＲＳ１…領域、ＲＳ２…領域、Ｕ…ユーザ。
【図１】
2020171108.tif 000003
【図２】
2020171108.tif 000004
【図３】
2020171108.tif 000005
【図４】
2020171108.tif 000006
【図５】
2020171108.tif 000007
【図６】
2020171108.tif 000008
【図７】
2020171108.tif 000009
【図８】
2020171108.tif 000010
【図９】
2020171108.tif 000011
【図１０】
2020171108.tif 000012
【図１１】
2020171108.tif 000013
【図１２】
2020171108.tif 000014
【国際調査報告】
2020171108.tif 000015
2020171108.tif 000016
2020171108.tif 000017
2020171108.tif 000018